(57)【要約】【課題】電源としてバッテリパックを取り付けるディスクグラインダ等の電動工具において、誤って落下等させた場合には重量の大きなバッテリパックが先に床面に衝突して大きな衝撃を受けるおそれがある。本発明では、バッテリパックを衝撃から保護することを目的とする。【解決手段】バッテリパック１３の左右両側に張り出す張り出し部２０を設ける。張り出し部２０は、ワイヤフレーム構造のバッテリガード２１とする。バッテリガード２１により、バッテリパック１３が直接床面等に衝突しないようにして衝撃から保護する。【選択図】図１
2018183822.tif 000002
【特許請求の範囲】
【請求項１】
電源として２つのバッテリパックを取り付け可能な手持ち式の電動工具であって、前記バッテリパックの両側に張り出す張り出し部を有する電動工具。
【請求項２】
電源としてバッテリパックを取り付け可能な手持ち式の電気機器であって、前記バッテリパックの側方に張り出す張り出し部を有し、側面視で該張り出し部の張り出し量は前記バッテリパックよりも大きく設定されており、かつ前記バッテリパックの後方については開放された電気機器。
【請求項３】
電源としてバッテリパックを取り付け可能な手持ち式の電動工具であって、前記バッテリパックの側方に張り出す張り出し部を有し、側面視で該張り出し部の張り出し量が前記バッテリパックよりも大きく設定されて、当該張り出し部に主機能と補助機能を持たせた電動工具。
【請求項４】
電源としてバッテリパックを取り付け可能な手持ち式の電動工具であって、前記バッテリパックから張り出す張り出し部を有し、該張り出し部の張り出し量が少なくとも２方向において、前記バッテリパックよりも大きく設定されて、当該張り出し部に主機能と補助機能を持たせた電動工具。
【請求項５】
請求項１〜４の何れか１項に記載した電動工具であって、駆動源としての電動モータを内装した工具本体部と、該工具本体部の前部に先端工具を取り付けるための出力部と、前記工具本体部の後部にバッテリパックを取り付けるためのバッテリ取り付け部と、該バッテリ取り付け部に取り付けられて前記工具本体部に電力を供給するバッテリパックを備え、
該バッテリ取り付け部に前記張り出し部を設けて、該張り出し部を、前記バッテリパックを保護するバッテリガードとして機能させる構成とした電動工具。
【請求項６】
請求項１〜５の何れか１項に記載した電動工具であって、前記張り出し部は、前記バッテリパックを衝撃から保護するバッテリガードとして機能させる構成とした電動工具。
【請求項７】
請求項１〜６の何れか１項に記載した電動工具であって、前記張り出し部は、前記バッテリパックの後方について開放された構成とした電動工具。
【請求項８】
請求項１〜７の何れか１項に記載した電動工具であって、前記張り出し部は、前記バッテリパックの取り付け方向に対して左右側方に位置する構成とした電動工具。
【請求項９】
請求項１〜８の何れか１項に記載した電動工具であって、前記張り出し部は、ワイヤフレーム構造を有する電動工具。
【請求項１０】
請求項４〜９の何れか１項に記載した電動工具であって、前記張り出し部は、前記バッテリ取り付け部の一面側から他面側へ跨って配置され、一面側において前記バッテリ取り付け部に固定され、他面側において前記バッテリ取り付け部に対して係脱可能に連結された電動工具。
【請求項１１】
請求項１０に記載した電動工具であって、前記張り出し部は、前記バッテリ取り付け部の他面側に対して弾性的に押圧される構成とした電動工具。
【請求項１２】
請求項４〜１１の何れか１項に記載した電動工具であって、前記バッテリ取り付け部に２つのバッテリパックを取り付け可能で、前記張り出し部は、該２つのバッテリパックの一方側面と他方側面に沿って位置される構成とした電動工具。
【請求項１３】
請求項４〜１２の何れか１項に記載した電動工具であって、前記バッテリパックは、前記張り出し部に対して側面視で少なくとも高さ方向にはみ出さない範囲で前記バッテリ取り付け部に取り付けられる構成とした電動工具。
【請求項１４】
請求項４〜１３の何れか１項に記載した電動工具であって、使用者が把持するグリップ部を有し、該グリップ部は前記電動モータのモータ軸線方向に延びており、該モータ軸線に交差して前記出力部の出力軸線が設定されており、
使用者が前記グリップ部を把持して前記モータ軸線回りに異なる把持姿勢のうち、前記出力軸線を下方へ向けた第１の把持姿勢と、右方へ向けた第２の把持姿勢と、左方へ向けた第３の把持姿勢の全てについて、使用者の手若しくは腕に接触しない範囲で前記張り出し部がバッテリ取り付け部の左右側部から後方へ張り出す状態に設けられた電動工具。
【発明の詳細な説明】
【技術分野】
【０００１】
本発明は、例えばディスクグラインダ等の手持ち式の電動工具に関する。
【背景技術】
【０００２】
ディスクグラインダと称される電動工具は、使用者のグリップ部を兼ねた円筒形状のモータハウジングに駆動源としての電動モータを内装した工具本体部と、工具本体部の前部に、かさ歯車（ベベルギヤ）の噛み合いによりモータ軸線に直交（交差）する軸線回りにスピンドルを回転可能に支持したギヤヘッド部を備え、スピンドルの先端に円形の砥石（先端工具）を取り付けた手持ち工具で、ＡＣ（交流）電源式の他、バッテリパックを電源として取り付けるＤＣ（直流）電源式のものが提供されている。下記の特許文献には、電源として２つのバッテリパックを取り付け可能なディスクグラインダに関する技術が開示されている。２つのバッテリパックを電源として、例えば定格電圧が３６Ｖの電動モータを駆動源とすることにより、大出力のディスクグラインダを利用することができる。
【先行技術文献】
【特許文献】
【０００３】
【特許文献１】特開２０１４−１４８０２０号公報
【発明の概要】
【発明が解決しようとする課題】
【０００４】
しかしながら、２つのバッテリパックを取り付ける構成であるが故に解決すべき新たな課題が発生する。例えば、２つのバッテリパックを工具本体部の後部に並べて取り付ける構成であることにより、後部側の重量が大きくなり、その結果当該ディスクグラインダを誤って落下させた場合にはバッテリパックが先に床面等に衝突して大きな衝撃を受けるおそれがある。
【０００５】
本発明は、バッテリパックを例えば衝撃等から保護することを目的とする。
【課題を解決するための手段】
【０００６】
上記した課題は、以下の各発明によって解決される。第１の発明は、電源として２つのバッテリパックを取り付け可能な手持ち式の電動工具である。第１の発明では、バッテリパックの両側に張り出す張り出し部を有する構成となっている。
【０００７】
第１の発明によれば、張り出し部によりバッテリパックの保護がなされる。張り出し部は、バッテリパックの左右側部に沿って張り出す構成とする他、上下側面に沿って張り出す構成とすることができる。
【０００８】
第２の発明は、電源としてバッテリパックを取り付け可能な手持ち式の電気機器である。第２の発明では、バッテリパックの側方に張り出す張り出し部を有し、側面視でこの張り出し部の張り出し量はバッテリパックよりも大きく設定された構成となっている。また、張り出し部はバッテリパックの側方に張り出しており、バッテリパックの後方については張り出されておらず、その結果バッテリパックの後方は開放されている。
【０００９】
第２の発明によれば、張り出し部によりバッテリパックの保護がなされる。また、バッテリパックの後方は開放されていることから、バッテリパックの着脱等の取り扱いを楽に行うことができる。第２の発明を適用し得る電気機器としては、ディスクグラインダやねじ締工具との手持ち式電動工具の他、ハンディクリーナや照明器具等の生活家電、ラジオやスピーカ等の音響機器、コーヒーメーカーやミキサー等の調理機器、あるいは芝刈機や刈り払い機等の園芸機器等の各種電気機器に広く適用することができる。
【００１０】
第３の発明は、電源としてバッテリパックを取り付け可能な手持ち式の電動工具である。第３の発明では、バッテリパックの側方に張り出す張り出し部を有し、側面視でこの張り出し部の張り出し量がバッテリパックよりも大きく設定された構成となっている。第３の発明では、張り出し部に主機能と補助機能を持たせた構成となっている。
【００１１】
第３の発明によれば、張り出し部によりバッテリパックの保護がなされる。この張り出し部には、主機能と補助機能が併せ持たせられて当該張り出し部の機能が高められている。例えば、バッテリ保護機能を主機能とすれば、補助機能として張り出し部に当該電動工具の姿勢安定化機能、腰当て部、フック機能、カールコード等の引き掛け部等の各種機能を持たせることができる。張り出し部に磁力を持たせることにより、ビットの保持部としての補助機能を持たせることもできる。
【００１２】
第４の発明は、電源としてバッテリパックを取り付け可能な手持ち式の電動工具である。第４の発明では、バッテリパックから張り出す張り出し部を有し、この張り出し部の張り出し量が少なくとも２方向において、バッテリパックよりも大きく設定されて、当該張り出し部に主機能と補助機能を持たせた構成となっている。張り出し部は、バッテリパックの両側から張り出す構成とするほか、片側からのみ張り出す構成とすることができる。
【００１３】
第４の発明によれば、バッテリパック自体から張り出す張り出し部により当該バッテリパックの保護がなされる。この張り出し部についていも、主機能と補助機能が併せ持たせられて当該張り出し部の機能が高められている。第３の発明と同じく例えば、バッテリ保護機能を主機能とすれば、補助機能として張り出し部に当該電動工具の姿勢安定化機能、腰当て部、フック機能、カールコード等の引き掛け部等の各種機能を持たせることができる。張り出し部に磁力を持たせることにより、ビットの保持部としての補助機能を持たせることもできる。
【００１４】
第５の発明は、第１〜第４の何れか一つの発明において、駆動源としての電動モータを内装した工具本体部と、工具本体部の前部に先端工具を取り付けるための出力部と、工具本体部の後部にバッテリパックを取り付けるためのバッテリ取り付け部と、バッテリ取り付け部に取り付けられて工具本体部に電力供給するバッテリパックを備え、バッテリ取り付け部に張り出し部を設けた電動工具である。第５の発明では、張り出し部を、バッテリパックを保護するバッテリガードとして機能させる構成となっている。
【００１５】
第５の発明によれば、張り出し部がバッテリパックを保護するバッテリガードとして機能する。
【００１６】
第６の発明は、第１〜第５の何れか一つの発明において、張り出し部は、バッテリパックを衝撃から保護するバッテリガードとして機能させる構成とした電動工具である。
【００１７】
第６の発明によれば、張り出し部はバッテリパックを衝撃から保護するバッテリガードとして機能する。
【００１８】
第７の発明は、第１〜第６の何れか一つの発明において、張り出し部は、バッテリパックの後方について開放された構成とした電動工具である。
【００１９】
第７の発明によれば、バッテリパック取り付け、取り外し時の良好な操作性を確保することができる。
【００２０】
第８の発明は、第１〜第７の何れか一つの発明において、張り出し部は、バッテリパックの取り付け方向に対して左右側方に位置する構成とした電動工具である。
【００２１】
第８の発明によれば、バッテリパックの取り付け方向左右両側方について、張り出し部により当該バッテリパックの保護がなされる。
【００２２】
第９の発明は、第１〜第８の何れか一つの発明において、張り出し部は、ワイヤフレーム構造を有する電動工具である。
【００２３】
第９の発明によれば、ワイヤフレーム構造の張り出し部によりバッテリパックの保護がなされる。
【００２４】
第１０の発明は、第４〜第９の発明において、張り出し部は、バッテリ取り付け部の一面側から他面側へ跨って配置され、一面側においてバッテリ取り付け部に固定され、他面側においてバッテリ取り付け部に対して係脱可能に連結された電動工具である。
【００２５】
第１０の発明によれば、バッテリ取り付け部の一面側から他面側に跨って配置された張り出し部によりバッテリパックの保護がなされる。張り出し部は、バッテリ取り付け部の他面側においてバッテリ取り付け部に対して係脱させることにより位置を変更することができる。
【００２６】
第１１の発明は、第１０の発明において、張り出し部は、バッテリ取り付け部の他面側に対して弾性的に押圧される構成とした電動工具である。
【００２７】
第１１の発明によれば、張り出し部は、バッテリ取り付け部の他面側に対して弾性的に押圧されて連結され、弾性力に抗して他面側から離脱させることができる。離脱させることにより当該張り出し部を例えばフックとして機能させることができる。
【００２８】
第１２の発明は、第４〜第１１の何れか一つの発明において、バッテリ取り付け部に２つのバッテリパックを取り付け可能で、張り出し部は、２つのバッテリパックの一方側面と他方側面に沿って位置される構成とした電動工具である。
【００２９】
第１２の発明によれば、２つのバッテリパックの一方の側面と他方の側面に沿って張り出し部が位置されることにより当該２つのバッテリパックの保護がなされる。
【００３０】
第１３の発明は、第４〜第１２の何れか一つの発明において、バッテリパックは、張り出し部に対して側面視で少なくとも高さ方向にはみ出さない範囲でバッテリ取り付け部に取り付けられる構成とした電動工具である。
【００３１】
第１３の発明によれば、例えば当該電動工具を落下させた場合に、バッテリパックの少なくとも高さ方向が直接床面等に衝突することを防止することができ、これにより当該バッテリパックの落下時の衝撃に対する保護がなされる。
【００３２】
第１４の発明は、第４〜第１３の何れか一つの発明において、使用者が把持するグリップ部を有し、グリップ部は電動モータのモータ軸線方向に延びており、モータ軸線に交差して出力部の出力軸線が設定された電動工具である。第１３の発明では、使用者がグリップ部を把持してモータ軸線回りに異なる把持姿勢のうち、出力軸線を下方へ向けた第１の把持姿勢と、右方へ向けた第２の把持姿勢と、左方へ向けた第３の把持姿勢の全てについて、使用者の手若しくは腕に接触しない範囲で張り出し部がバッテリ取り付け部の左右側部から後方へ張り出す状態に設けられた構成となっている。
【００３３】
第１４の発明によれば、使用者が第１〜第３の何れの姿勢で把持しても張り出し部が手に触れる等して邪魔になることがなく、これにより当該電動工具の高い作業性及び良好な使い勝手を確保することができる。
【図面の簡単な説明】
【００３４】
【図１】本発明の実施形態に係るディスクグラインダの全体斜視図である。
【図２】ディスクグラインダの左側面図である。
【図３】ディスクグラインダを図２中矢印(III)方向から見た平面図である。
【図４】ディスクグラインダを図２中矢印(IV)方向から見た下面図である。
【図５】バッテリパックを取り外した状態のバッテリ取り付け部の後面図である。
【発明を実施するための形態】
【００３５】
次に、本発明の実施形態を図１〜図５に基づいて説明する。図示するように本実施形態では、手持ち式の電動工具１の一例としてディスクグラインダを例示する。この電動工具１は、使用者が把持するグリップ部としても機能する円柱体形の工具本体部２と、工具本体部２の前部に結合された出力部３と、工具本体部２の後部に設けたバッテリ取り付け部１０を備えている。
【００３６】
工具本体部２は、前後に長い円筒形状のモータハウジング２ａを備えている。モータハウジング２ａに駆動源としての電動モータ２ｂが内装されている。電動モータ２ｂのモータ軸線Ｊ（出力軸の軸線）は、前後方向に一致している。モータハウジング２ａの後側ほぼ半分の領域がグリップ部２ｃとされている。グリップ部２ｃは、使用者が把持しやすいよう前側半分の領域よりやや細くなっている。グリップ部２ｃの下面にスイッチレバー２ｄが配置されている。グリップ部２ｃを把持した手の指先でスイッチレバー２ｄを上方へ引き操作すると電動モータ２ｂが起動する。
【００３７】
工具本体部２の前部に結合された出力部３は、ギヤハウジング３ａを備えている。ギヤハウジング３ａはモータハウジング２ａの前部にねじ止めされている。図では示されていないが、出力部３には、かさ歯車の噛み合わせによるギヤ列が介在されている。かさ歯車のギヤ列を経て電動モータ２ｂの出力がスピンドル３ｂに伝達される。スピンドル３ｂは、ギヤハウジング３ａに対してモータ軸線Ｊに直交する上下方向の軸線（出力軸線Ｐ）回りに回転支持されている。
【００３８】
スピンドル３ｂの下部側は、ギヤハウジング３ａから下方へ突き出されている。スピンドル３ｂの先端に先端工具として円形の砥石５が取り付けられている。スイッチレバー２ｄがオン操作されると電動モータ２ｂが起動して砥石５が回転する。砥石５の後側ほぼ半周の範囲はカバー６で覆われている。このカバー６により、研削加工により発生した粉塵が使用者側へ飛散することが防止される。
【００３９】
工具本体部２の後部に設けられたバッテリ取り付け部１０は、主として左右に張り出す矩形の概ね平板形を有している。図５に示すようにバッテリ取り付け部１０の後面に２つのバッテリ取り付け部１１，１２が設けられている。２つのバッテリ取り付け部１１，１２は、左右に並んで配置されている。左右のバッテリ取り付け部１１，１２は同様の構成を備えている。左側のバッテリ取り付け部１１には、左右一対のレール部１１ａが設けられている。左右のレール部１１ａ間に正負の電源端子１１ｂ，１１ｃが設けられている。右側のバッテリ取り付け部１２にも、左右一対のレール部１２ａが設けられている。左右のレール部１２ａ間に正負の電源端子１２ｂ，１２ｃが設けられている。
【００４０】
左右のバッテリ取り付け部１１，１２には、同じバッテリパック１３を取り付けることができる。バッテリパック１３は、６面体のケースに複数本のセルを収容したリチウムイオンバッテリで、上方から下方に向けてスライドさせて取り付けるスライド取り付け形式のものが適用されている。バッテリパック１３は、６面体のうち１面のみをバッテリ取り付け部１１，１２に結合させ、その他の５面が周囲に開放された露出状態で取り付けられる。バッテリパック１３はアンロックボタン１３ａを押し下げ操作した状態で上方へスライドさせてバッテリ取り付け部１１，１２から取り外すことができる。バッテリパック１３は、別途用意した充電器で充電することにより繰り返し使用することができる。バッテリパック１３には、例えばねじ締め機等他の電動工具にも用いることができる汎用性の高いものを利用することができる。
【００４１】
バッテリ取り付け部１０には、左右の張り出し部２０が設けられている。本実施形態では、バッテリ取り付け部１０に取り付けたバッテリガード２１の左右側部が張り出し部２０とされている。本実施形態では、バッテリガード２１は、１本の棒鋼を複数個所で屈曲させたワイヤフレーム構造を有している。バッテリガード２１は、バッテリ取り付け部１０に下側面に沿って結合された下結合部２１ａと、下結合部２１ａの左右両側から後方に水平に延びる下延長部２１ｂ，２１ｃと、下延長部２１ｂ，２１ｃ後部から上方へ起立する左右起立部２１ｄ，２１ｅと、左右起立部２１ｄ，２１ｅの上部から前方へ水平に延びる上延長部２１ｆ，２１ｇと、左右の上延長部２１ｆ，２１ｇの前部から相互に接近する方向にほぼ直角に屈曲する屈曲部２１ｈ，２１ｉを有している。
【００４２】
図４に示すように下結合部２１ａは、取り付け板２２を介してバッテリ取り付け部１０の下側面に沿って結合されている。取り付け板２２は下結合部２１ａに溶接により一体化されている。取り付け板２２は、バッテリ取り付け部１０の下側面にねじ結合されている。左右の下延長部２１ｂ，２１ｃは、バッテリ取り付け部１０の下側面の左右端部付近からそれぞれ斜め後方（相互に離間する方向）に向けて延びている。図２に示すように左右の下延長部２１ｂ，２１ｃは、側面視でバッテリパック１３よりも下側へずれて配置されている。図４に示すように下面側から見て、左右の下延長部２１ｂ，２１ｃは、左側のバッテリパック１３よりも左方、右側のバッテリパック１３よりも右方、かつそれぞれ後方へ延びている。このため、左右の起立部２１ｄ，２１ｅは、バッテリパック１３よりも後方かつ左方もしくは右方の領域において、上下に延びている。
【００４３】
図１及び図２に示すように左右の起立部２１ｄ，２１ｅは、上側ほど後方へ変位する方向に傾斜している。このため、左右の張り出し部２０は、当該電動工具１を上方へ起立させた姿勢に保持するための脚部としては機能しないようになっている。上延長部２１ｂ，２１ｃは、側面視でバッテリパック１３よりも上側へずれて配置されている。左右の屈曲部２１ｈ，２１ｉには、樹脂製のキャップ２１ｈａ，２１ｉａが取り付けられている。左右の屈曲部２１ｈ，２１ｉは、バッテリ取り付け部１０の上側面に設けた受け部２３，２４の上方に至っている。当該張り出し部２０の自由状態では、左右の屈曲部２１ｈ，２１ｉは、受け部２３，２４に対してほぼ浮いた状態となっている。
【００４４】
本実施形態のバッテリガード２１は、主として左右の屈曲部２１ｈ，２１ｉが相互に離間する方向、及び受け部２３，２４から上方へ離間する方向に弾性を有するワイヤフレーム構造を有している。図１は、当該張り出し部２０が弾性力を発揮しない自由状態を示している。この自由状態では、上記したように左右の屈曲部２１ｈ，２１ｉが受け部２３，２４からほぼ浮いた状態とするほか、その壁部に当接若しくは押圧される状態としてもよい。
【００４５】
左右の受け部２３，２４には、前壁部と側壁部が設けられている。前壁部により左右の屈曲部２１ｈ，２１ｉの前方への変位が規制される。左側の受け部２３の側壁部により左側の屈曲部２１ｈの右方への変位が規制される。右側の受け部２４の側壁部により右側の屈曲部２１ｉの左方への変位が規制される。当該電動工具１を誤って落下等させた場合に、左右のバッテリガード２１が床面等に衝突して外力受けると、左右の屈曲部２１ｈ，２１ｉが変位して受け部２３，２４の壁部に突き当てられてその変位が規制され、さらに当該バッテリガード２１が弾性変形することにより落下時の衝撃が吸収される。左右の屈曲部２１ｈ，２１ｉは、使用者が手で摘まんで移動させることにより、それぞれ受け部２３，２４の上方位置から離間させることができる。
【００４６】
図３に示すようにバッテリ取り付け部１０の上側部には、吸気口１４が設けられている。電動モータ２ｂが起動するとその出力軸に取り付けた冷却ファンが回転して、吸気口１４から外気が導入される。導入された外気は、バッテリ取り付け部１０の内部を経てモータハウジング２ａ内を前側へ流れる。バッテリ取り付け部１０には、電動モータ２ｂの動作を制御するコントローラ１５が内装されている。吸気口１４から導入された外気によりコントローラ１５の冷却がなされる。また、吸気口１４から導入された外気がモータハウジング２ａ内を前側へ流れることにより電動モータ２ｂの冷却がなされる。吸気口１４の左右に、バッテリガード２１の受け部２３，２４が取り付けられている。
【００４７】
以上のように構成した本実施形態の電動工具１によれば、電源としてのバッテリパック１３を取り付けるためのバッテリ取り付け部１０は、バッテリガード２１が設けられている。このバッテリガード２１により、バッテリパック１３の左右側部に張り出し部２０が設けられている。左右の張り出し部２０により、バッテリパック１３の例えば衝撃に対する保護がなされる。
【００４８】
バッテリガード２１（張り出し部２０）は、バッテリパック１３の左右側方において上下方向により大きな張り出し量で張り出し、かつ後方へも大きな張り出し量で張り出している。このため、例えば当該電動工具１を誤って落下させた場合等において、バッテリパック１３よりも先にバッテリガード２１（張り出し部２０）が床面等に当接する。これにより、バッテリパック１３が直接床面等に当接して直接衝撃を受けることが防止され、ひいてはバッテリパック１３の主として衝撃に対する保護がなされる。また、バッテリガード２１のクッション性によっても衝撃が緩和されてバッテリパック１３の保護がなされる。
【００４９】
バッテリパック１３の側方に張り出す左右の張り出し部２０は、バッテリパック１３を保護する機能（主機能）の他に、設置時における姿勢安定化機能（補助機能）を有している。左右の張り出し部２０は、バッテリパック１３の左右側方において上下に大きく張り出していることから、当該電動工具１を例えば図１に示す横倒し姿勢で作業台上に設置する場合に、バッテリパック１３を直接接地させるのではなく張り出し部２０を接地させることにより当該電動工具１をより安定した姿勢で設置しておくことができる。
【００５０】
また、左右の張り出し部２０は、ワイヤフレーム構造であることから、適度な弾性（クッション性）を有している。このことから左右の張り出し部２０を例えば腰当て部（補助機能）として利用することができる。左右の張り出し部２０を腰に当てておくことにより当該電動工具１を一定の姿勢に保持しやすくなり、これにより当該電動工具１の作業性を高めることができる。
【００５１】
さらに、本実施形態のバッテリガード２１は、バッテリパック１３の後方については開放された構成となっている。バッテリパック１３の後方において左右若しくは上下に跨る部位を有しないことから、バッテリパック１３の取り付け、取り外し時に邪魔になることがなく、これにより当該バッテリパック１３の取り付け、取り外し時における良好な操作性を確保することができる。
【００５２】
例示したバッテリガード２１（張り出し部２０）は、棒鋼を折り曲げたワイヤフレーム構造を有していることから、大きな重量アップを招くことなくバッテリパック１３の保護を行うことができる。
【００５３】
また、例示したバッテリガード２１では、左右の屈曲部２１ｈ，２１ｉを受け部２３，２４から外して一次的に位置を変更することができる。屈曲部２１ｈ，２１ｉの一方又は双方を受け部２３，２４から外すことにより、当該バッテリガード２１をフックとして機能（補助機能）させることができる。
【００５４】
バッテリガード２１（張り出し部２０）は、バッテリ取り付け部１０を弾性力で両側から挟み込んで保持する構成であることから、当該バッテリガード２１の組み立て性を良くすることができる。また、バッテリガード２１はワイヤフレーム構造を有することから、当該電動工具１の持ち運び時に手掛け部として機能させることができる。手掛け部としての起立部２１ｄ，２１ｅを把持して当該電動工具１をぶら下げて持ち運ぶことができる。
【００５５】
電動工具１は、使用者がグリップ部２ｃを把持して用いることができる。使用者は手首を回して手の向きを変更することにより、当該電動工具１の把持姿勢について、スピンドル３ｂを下向きにした第１の把持姿勢と、スピンドル３ｂを右方へ向けた第２の把持姿勢と、スピンドル３ｂを左方へ向けた第３の把持姿勢に変更することができる。例示したバッテリガード２１（張り出し部２０）は、第１〜第３の何れの把持姿勢で把持した場合であっても使用者の手に干渉しない範囲で張り出されている。このため、例示したバッテリガード２１は、第１〜第３の何れの把持姿勢で把持する場合であっても邪魔になることがなく、当該電動工具１の作業性が損なわれない範囲で設けられている。
【００５６】
例示した実施形態には種々変更加えて実施することができる。例えば、２個のバッテリパック１３を電源として取り付ける電動工具１を例示したが１個のバッテリパック、あるいは３個以上のバッテリパックを取り付け可能な電動工具について例示したバッテリガード２１（張り出し部２０）を適用することができる。また、バッテリパックの出力電圧は１８Ｖに限定されるものではない。
【００５７】
また、バッテリガード２１の自由状態において、屈曲部２１ｈ，２１ｉを受け部２３，２４に対してほぼ浮いた状態に位置させる構成を例示したが、当該屈曲部２１ｈ，２１ｉを受け部に対して押圧し、あるいは引き掛けて位置させる構成としてもよい。さらに、屈曲部２１ｈ，２１ｉを受け部に対して係脱可能に設ける構成とする他、下結合部２１ａと同様バッテリ取り付け部１０に対して固定する構成としてもよい。逆に、バッテリガードは、バッテリ取り付け部１０の上面側と下面側の双方に対して係脱可能に弾性的に挟み込んで取り付ける構成としてもよい。この場合、必要に応じてバッテリガードを簡単に取り付け、取り外しすることができ、この点で当該バッテリガードの使い勝手を高めることができる。
【００５８】
バッテリガード２１はバッテリパック１３の両側に張り出す構成を例示したが、片側についてのみ張り出す構成としてもよい。また、バッテリパック１３の左右側方に張り出し部２０を張り出させる構成とする他、バッテリパック１３の上方及び／又は下方に張り出す構成としてもよい。
【００５９】
バッテリ取り付け部１０から張り出し部２０を張り出す構成を例示したが、バッテリパック自体に張り出し部を設ける構成としてもよい。
【００６０】
さらに、ワイヤフレーム構造のバッテリガード２１（張り出し部２０）を例示したが、平板形状の張り出し部をバッテリ取り付け部１０の左右側部から後方へ張り出す構成としてもよい。バッテリガード２１に磁力を持たせることにより、ビット保持部としての補助機能を持たせることができる。
【００６１】
電動工具１としてディスクグラインダを例示したが、例示したバッテリガード２１（張り出し部２０）は、孔明け工具やねじ締め工具あるいは切断工具等その他の主として手持ち工具であって、バッテリを電源として露出状態で取り付ける形態の電動工具に広く適用することができる。
【符号の説明】
【００６２】
１…電動工具（ディスクグラインダ）
２…工具本体部
２ａ…モータハウジング、２ｂ…電動モータ、２ｃ…グリップ部、２ｄ…スイッチレバー
３…出力部
３ａ…ギヤハウジング、３ｂ…スピンドル
５…砥石（先端工具）
６…カバー
Ｊ…モータ軸線
Ｐ…出力軸線
１０…バッテリ取り付け部
１１，１２…バッテリ取り付け部
１１ａ…レール部、１１ｂ，１１ｃ…電源端子
１２ａ…レール部、１２ｂ，１２ｃ…電源端子
１３…バッテリパック、１３ａ…アンロックボタン
１４…吸気口
１５…コントローラ
２０…張り出し部
２１…バッテリガード
２１ａ…下結合部
２１ｂ…下延長部（左側）、２１ｃ…下延長部（右側）
２１ｄ…起立部（左側）、２１ｅ…起立部（右側）
２１ｆ…上延長部（左側）、２１ｇ…上延長部（右側）
２１ｈ…屈曲部（左側）、２１ｉ…屈曲部（右側）
２２…取り付け板
２３…受け部（左側）
２４…受け部（右側）
【図１】
2018183822.tif 000003
【図２】
2018183822.tif 000004
【図３】
2018183822.tif 000005
【図４】
2018183822.tif 000006
【図５】
2018183822.tif 000007